(57)【要約】【課題】  住宅数が多い場合或いは住宅数が増加した場合でも１つの通信回線で外部コンピュータとの間のデータ送受を的確に行える灯油供給システムを提供する。【解決手段】  各給油制御機Ｃ１〜Ｃ１６との間でデータ送受を行う１６台の伝送子機ＴＳ１〜ＴＳ１６を備えると共に１６台の伝送子機ＴＳ１〜ＴＳ１６との間並びに外部コンピュータ（管理センター所有のコンピュータＭＳまたは灯油販売業者所有のコンピュータＤＬ）との間のデータ送受を行う１台の伝送親機ＴＭを備えているので、住宅数が１６０の集合住宅に同システムを適用した場合でも１つの通信回線で伝送親機ＴＭと外部コンピュータとの間のデータ送受を行うことができる。【選択図】  図１
2006298399.tif 000002
【特許請求の範囲】
【請求項１】
住宅毎に設置された多数の専用タンクと、多数の専用タンクに給油管を介して接続された共用タンクと、各専用タンクに設けられ補給要求を送出可能な多数の油量検知機とを備えた灯油供給システムであって、
所定数の油量検知機に１台の割合で設けられ所定数の油量検知機との間でデータ送受を行うと共に油量検知機からの補給要求に応じ給油ポンプを作動して要求先の専用タンクに共用タンクから灯油を補給し且つ補給量を個別に管理する複数の給油制御機と、
複数の給油制御機それぞれに対応して設けられ各給油制御機との間でデータ送受を行う同数の伝送子機と、
複数の伝送子機との間でデータ送受を行うと共にデータ送受信機及び通信回線を利用して管理センターのコンピュータまたは灯油販売業者所有のコンピュータとの間でデータ送受を行う伝送親機とを備える、
ことを特徴とする灯油供給システム。
【請求項２】
伝送親機と複数の伝送子機との接続にはマルチドロップ接続が用いられている、
ことを特徴とする請求項１に記載の灯油供給システム。
【請求項３】
伝送親機と管理センター所有のコンピュータまたは灯油販売業者所有のコンピュータとの間で送受されるデータはテキスト形式のデータである、
ことを特徴とする請求項１または２に記載の灯油供給システム。
【請求項４】
管理センター所有のコンピュータまたは灯油販売業者所有のコンピュータはシステム構成機器を遠隔操作するためのデータを伝送親機に伝送することが可能であり、
伝送親機は伝送された遠隔操作データを判別して該当するシステム構成機器に遠隔操作データに準じた処理を行う、
ことを特徴とする請求項１〜３の何れか１項に記載の灯油供給システム。
【発明の詳細な説明】
【技術分野】
【０００１】
本発明は、集合住宅等に有用な灯油供給システムに関する。
【背景技術】
【０００２】
多数の住宅が１つの建物として構築された集合住宅や多数の戸建住宅の集合体等において採用されている灯油供給システム、即ち、住宅毎に設置された専用タンクに必要に応じて共用タンクから灯油を補給し且つ補給量を計測するシステムは、灯油販売業者から各住宅に個別に灯油を配送する必要が無くなること、各住宅において灯油切れを心配することなく石油暖房機等の灯油燃焼機器を使用できること等の多くの利便性がある。
【０００３】
このシステムは、基本的には、住宅毎に設置された多数の専用タンクと、多数の専用タンクに給油管を介して接続された共用タンクと、各専用タンクに設けられ補給要求を送出可能な多数の油量検知機と、多数の油量検知機との間でデータ送受を行うと共に油量検知機からの補給要求に応じ給油ポンプを作動して要求先の専用タンクに共用タンクから灯油を補給し且つ補給量を個別に管理する給油制御機とを備えており、給油制御機は通信回線を通じて灯油販売業者所有のコンピュータ等との間のデータ送受を可能としている。
【０００４】
所定の専用タンク内の灯油残量が補給レベルに達すると該専用タンクの油量検知機から給油制御機に補給要の指令が送られ、給油制御機は所定の専用タンクのみへの灯油補給が行えるように給油ポンプを作動させて共用タンク内の灯油を所定の専用タンクに補給する。各専用タンクへの灯油補給量は給油制御機において個別に管理されると共に料金徴収のために給油制御機から灯油販売業者所有のコンピュータ等に通知される。また、共用タンク内の灯油残量が補給レベルに達すると給油制御機から灯油販売業者所有のコンピュータ等に補給要の指令が送られ、該指令に基づいて灯油販売業者は共用タンクへの灯油補給を行う。
【特許文献１】特開２００２−１０４６００号公報
【発明の開示】
【発明が解決しようとする課題】
【０００５】
従来のシステムは、１台の給油制御機によって各専用タンクへの灯油補給及び補給量管理と灯油販売業者所有のコンピュータ等との間のデータ送受とを行うものであるため、住宅数が例えば１００を越える集合住宅や戸建住宅の集合体等に同システムを適用する場合には住宅数に応じてシステム及び通信回線の増設が必要となり、特に通信回線の増設に伴って導入時コスト及びランニングコストが増加すると共に通信回線数が増すことによって灯油販売業者所有のコンピュータ等との間のデータ送受が煩雑化する。
【０００６】
本発明は前記事情に鑑みて創作されたもので、その目的とするところは、住宅数が多い集合住宅等に適用する場合でも１つの通信回線で外部コンピュータとの間のデータ送受を的確に行える灯油供給システムを提供することにある。
【課題を解決するための手段】
【０００７】
前記目的を達成するため、本発明は、住宅毎に設置された多数の専用タンクと、多数の専用タンクに給油管を介して接続された共用タンクと、各専用タンクに設けられ補給要求を送出可能な多数の油量検知機とを備えた灯油供給システムであって、所定数の油量検知機に１台の割合で設けられ所定数の油量検知機との間でデータ送受を行うと共に油量検知機からの補給要求に応じ給油ポンプを作動して要求先の専用タンクに共用タンクから灯油を補給し且つ補給量を計測する複数の給油制御機と、複数の給油制御機それぞれに対応して設けられ各給油制御機との間でデータ送受を行う同数の伝送子機と、複数の伝送子機との間でデータ送受を行うと共にデータ送受信機及び通信回線を利用して管理センターのコンピュータまたは灯油販売業者所有のコンピュータとの間でデータ送受を行う伝送親機とを備える、ことをその特徴とする。
【０００８】
この灯油供給システムは、各給油制御機との間でデータ送受を行う複数の伝送子機を備えると共に該複数の伝送子機との間並びに外部コンピュータ（管理センター所有のコンピュータまたは灯油販売業者所有のコンピュータ）との間でデータ送受を行う伝送親機を備えているので、住宅数が多い集合住宅等に同システムを適用した場合でも１つの通信回線で伝送親機と外部コンピュータとの間のデータ送受を行うことができる。つまり、住宅数が多い集合住宅等に同システムを適用する場合には通信回線の増設が不要であり、該増設に伴う導入時コスト及びランニングコストを排除できると共に外部コンピュータとのデータ送受を高信頼性下で的確に行うことができる。
【発明の効果】
【０００９】
本発明によれば、住宅数が多い集合住宅等に適用する場合でも１つの通信回線で外部コンピュータとの間のデータ送受を的確に行うことができる。
【００１０】
本発明の前記目的とそれ以外の目的と、構成特徴と、作用効果は、以下の説明と添付図面によって明らかとなる。
【発明を実施するための最良の形態】
【００１１】
図１は、本発明を集合住宅に適用した実施形態を示すシステム構成図である。この集合住宅は１６階建てで、総住宅数は１６０、１フロア当たりの住宅数は１０である。
【００１２】
各住宅には所定量の灯油を貯留可能な専用タンクｔ１〜ｔ１６０（ｔ４１〜ｔ１５０は図示省略）が設置されており、各専用タンクｔ１〜ｔ１６０には油量検知機Ｌ１〜Ｌ１６０（Ｌ４１〜Ｌ１５０は図示省略）がそれぞれ設けられている。共用タンクｔｃは集合住宅の１階や地下等に設置されており、太線で示す給油管は共用タンクｔｃから１６に分岐して各階に引き回され、分岐した各給油管は各階に存する専用タンクｔ１〜ｔ１６０にそれぞれ接続されている。
【００１３】
各油量検知機Ｌ１〜Ｌ１６０は、図２に示すように、マイクロコンピュータ構成の制御部１０１と、通信部１０２と、油量検知部１０３と、電磁弁駆動部１０４と、表示器１０５とを備える。通信部１０２は中継機Ｒ１〜Ｒ１６との間でデータ送受を行うためのもので、細線で示す信号線を接続可能な端子１０２ａを有する。油量検知部１０３は専用タンクｔ１〜ｔ１６０内の灯油残量を検知するためのフロートスイッチ等のセンサ１０３ａを有する。電磁弁駆動部１０４は電磁弁１０４ａを開閉駆動するためのもので、該電磁弁１０４ａは給油管の専用タンク近傍部位に介装されている。表示器１０５はＬＥＤ群またはＬＣＤ等から成り、油量検知機の動作状態を適宜表示する。
【００１４】
１階に存する１０台の油量検知機Ｌ１〜Ｌ１０の信号線は中継機Ｒ１を介して給油制御機Ｃ１に接続され、これと同様に２階〜１６階の他の階に存する１０台の油量検知機Ｌ１１〜Ｌ２０，Ｌ２１〜Ｌ３０，Ｌ３１〜Ｌ４０・・・Ｌ１５１〜Ｌ１６０も、中継機Ｒ２，Ｒ３，Ｒ４・・・Ｒ１６を介して給油制御機Ｃ２，Ｃ３，Ｃ４・・・Ｃ１６にそれぞれ接続されている。つまり、給油制御機Ｃ１〜Ｃ１６は１０台の油量検知機に１台の割合で設けられ、各々は１０台の油量検知機との間でデータ送受を行う。
【００１５】
中継機Ｒ１〜Ｒ１６は、図３に示すように、マイクロコンピュータ構成の制御部２０１と、第１通信部２０２と、第２通信部２０３と、表示器２０４とを備える。第１通信部２０２は１０台の油量検知機との間でデータ送受を行うためのもので、信号線を接続可能な１０台分の端子２０２ａを有する。第２通信部２０３は１台の給油制御機との間でデータ送受を行うためのもので、信号線を接続可能な端子２０３ａを有する。表示器２０４はＬＥＤ群またはＬＣＤ等から成り、中継機の動作状態及び油量検知機との通信状態等を適宜表示する。
【００１６】
給油制御機Ｃ１〜Ｃ１６は、図４に示すように、マイクロコンピュータ構成の制御部３０１と、第１通信部３０２と、第２通信部３０３と、流量検知部３０４と、ポンプ駆動部３０５と、電磁弁駆動部３０６と、感振器３０７と、警報器３０８と、表示器３０９とを備える。第１通信部３０２は１台の中継機との間でデータ送受を行うためのもので、信号線を接続可能な端子３０２ａを有する。第２通信部３０３は１台の伝送子機との間でデータ送受を行うためのもので、信号線を接続可能な端子３０３ａを有する。流量検知部３０４は流量計等のセンサ３０４ａを有し、該センサ３０４ａは給油管の給油制御機近傍部位に介装されている。ポンプ駆動部３０５は給油ポンプ３０５ａを駆動するためのもので、、該給油ポンプ３０５ａは給油管の給油制御機近傍部位に介装されている。電磁弁駆動部３０６は電磁弁３０６ａを開閉駆動するためのもので、該電磁弁３０６ａは給油管のポンプ入口側部位に介装されている。感振器３０７は地震等による揺れを検知するためのもので、揺れの大きさが所定以上であるときに所定の信号を制御部３０１に送出する。警報器３０８はブザー等から成り、異常発生時に制御部３０１から発せられる信号に基づいて作動する。表示器３０９はＬＥＤ群またはＬＣＤ等から成り、給油制御機３０１の動作状態及び中継機との通信状態等を適宜表示する。
【００１７】
伝送子機ＴＳ１〜ＴＳ１６は、図５に示すように、マイクロコンピュータ構成の制御部４０１と、第１通信部４０２と、第２通信部４０３と、表示器４０４とを備える。第１通信部４０２は１台の給油制御機との間でデータ送受を行うためのもので、信号線を接続可能な端子４０２ａを有する。第２通信部４０３は１台の伝送親機ＴＭとの間でデータ送受を行うためのもので、信号線を接続可能な端子４０３ａを有する。表示器４０４はＬＥＤ群またはＬＣＤ等から成り、伝送子機の動作状態及び給油制御機との通信状態等を適宜表示する。この伝送子機ＴＳ１〜ＴＳ１６は給油制御機Ｃ１〜Ｃ１６と同一台数用意され、各々は１台の給油制御機との間でデータ送受を行う。
【００１８】
伝送親機ＴＭは、図６に示すように、マイクロコンピュータ構成の制御部５０１と、第１通信部５０２と、第２通信部５０３と、表示器５０４とを備える。第１通信部５０２は１６台の伝送子機ＴＳ１〜ＴＳ１６との間でデータ送受を行うためのもので、信号線を接続可能な端子５０２ａを有し、ここでの接続にはＲＳ−４８５等のマルチドロップ接続が用いられている。第２通信部５０３は１台の送受信機ＥＴとの間でデータ送受を行うためのもので、信号線を接続可能な端子５０３ａを有する。表示器５０４はＬＥＤ群またはＬＣＤ等から成り、伝送親機ＴＭの動作状態及び伝送子機との通信状態等を適宜表示する。
【００１９】
送受信機ＥＴは管理センターのコンピュータＭＳとの間でデータ送受を行うためのもので、該送受信機ＥＴは公衆電話回線網を通じて管理センターのコンピュータＭＳと接続されている。管理センターのコンピュータＭＳは灯油販売業者所有のコンピュータＤＬとの間でデータ送受を可能としており、両者は公衆電話回線網を通じて接続されている。尚、送受信機ＥＴと管理センターのコンピュータＭＳとの通信、並びに、管理センターのコンピュータＭＳは灯油販売業者所有のコンピュータＤＬとの通信に、無線パケット通信網を利用してもよい。
【００２０】
図１の下部に破線で示した構成は、管理センターのコンピュータＭＳを介在せずに、直接に伝送親機ＴＭと灯油販売業者所有のコンピュータＤＬとの間のデータ送受を行う場合の構成であり、ＰＣＮは公衆電話回線網や無線パケット通信網等の公衆回線網であり、ＭＤは該公衆回線網ＰＣＮに適したモデムや無線通信モジュール等の送受信機である。つまり、伝送親機ＴＭは２つの通信経路を選択的に使用することができようになっている。
【００２１】
以下に、前述のシステムで実現される機能について図７〜図１１を参照して説明する。
【００２２】
図７は給油制御機Ｃ１〜Ｃ１６による灯油補給の流れを示す。
【００２３】
各給油制御機Ｃ１〜Ｃ１６は各々に接続されている油量検知機Ｌ１〜Ｌ１６０から補給要求があったときに、要求先の専用タンクｔ１〜ｔ１６０に対し灯油の補給を行う。各油量検知機Ｌ１〜Ｌ１６０は各々に対応する専用タンクｔ１〜ｔ１６０内の灯油残量が補給レベルに達したときに接続先の給油制御機Ｃ１〜Ｃ１６に補給要求を送出する。
【００２４】
給油制御機Ｃ１を例に挙げて説明すれば、該給油制御機Ｃ１は油量検知機Ｌ１〜Ｌ１０の何れか、例えば油量検知機Ｌ１から補給要求を受け取ると、専用タンクｔ１のみへの灯油補給が行えるように電磁弁３０６ａを開放すると共に油量検知機Ｌ１に電磁弁１０４ａを開放するための指令を送出し、そして給油ポンプ３０５ａを作動して共用タンクｔｃ内の灯油を専用タンクｔ１に補給する（図７のステップＳ１〜Ｓ３）。
【００２５】
補給により専用タンクｔ１内の灯油の液面が上昇して完了レベルに達すると油量検知機Ｌ１からは補給完了の指令が給油制御機Ｃ１に送出されるので、給油制御機Ｃ１は該指令に基づいて給油ポンプ３０５ａを停止し電磁弁３０６ａを閉塞すると共に油量検知機Ｌ１に電磁弁１０４ａを閉塞するための指令を送出する（図７のステップＳ４〜Ｓ６）。
【００２６】
この補給による専用タンクｔ１への灯油補給量を流量検知用センサ３０４ａによって計測し、そのデータ（補給データ）を伝送子機ＴＳ１に伝送する（図７のステップＳ７）。伝送子機ＴＳ１に伝送された補給データは該伝送子機ＴＳ１から伝送親機ＴＭに伝送される。因みに、専用タンクｔ１への補給量は専用タンクｔ２〜ｔ１０を含め給油制御機Ｃ１によって個別に管理される。
【００２７】
給油制御機Ｃ１による専用タンクｔ２〜ｔ１０への灯油補給も同様に実施され、他の給油制御機Ｃ２〜Ｃ１６による専用タンクｔ１１〜ｔ１６０への灯油補給も同様に実施される。
【００２８】
図８は給油制御機Ｃ１〜Ｃ１６による異常検知の流れを示す。
【００２９】
各給油制御機Ｃ１〜Ｃ１６は補給不良や感振器作動や機器故障や通信異常等の異常有無を監視し、異常を生じたときに該異常に対応するエラーデータを接続先の伝送子機ＴＳ１〜ＴＳ１６にそれぞれ送出する。
【００３０】
給油制御機Ｃ１を例に挙げて説明すれば、該給油制御機Ｃ１は専用タンクｔ１〜ｔ１０に対する灯油補給が適正に行われているか否かを監視し、給油管からの灯油漏れや補給不足や補給過剰等の異常が検出されたときには、自らの表示器３０９及び警報器３０８によって予め定められたエラー報知を行うと共に、異常に対応して予め定められたエラーデータを伝送子機ＴＳ１に伝送する（図８のステップＳ１１，Ｓ１２）。
【００３１】
また、給油制御機Ｃ１は感振器３０７から揺れ検知の信号を受け取ると、自らの表示器３０９及び警報器３０８によって予め定められたエラー報知を行って以後の補給動作を停止すると共に、異常に対応して予め定められたエラーデータを伝送子機ＴＳ１に伝送する（図８のステップＳ１３，Ｓ１４）。
【００３２】
さらに、給油制御機Ｃ１は自らが備える給油ポンプ３０５ａ等の機器、並びに、該給油制御機Ｃ１に接続された油量検知機Ｌ１〜Ｌ１０が備えるセンサ１０３ａ等の機器の故障有無を監視し、動作不良や断線等の異常が検出されたときには、自らの表示器３０９及び警報器３０８によって予め定められたエラー報知を行うと共に、異常に対応して予め定められたエラーデータを伝送子機ＴＳ１に伝送する（図８のステップＳ１５，Ｓ１６）。
【００３３】
さらに、給油制御機Ｃ１はこれに接続されている中継機Ｒ１及び伝送子機ＴＳ１との間のデータ送受に異常が生じているか否かを監視し、通信異常が検出されたときには、自らの表示器３０９及び警報器３０８によって予め定められたエラー報知を行うと共に、異常に対応して予め定められたエラーデータを伝送子機ＴＳ１に伝送する（図８のステップＳ１７，Ｓ１８）。
【００３４】
伝送子機ＴＳ１に伝送された各種エラーデータは伝送子機ＴＳ１から伝送親機ＴＭに伝送される。他の給油制御機Ｃ２〜Ｃ１６による異常検知も同様に実施され、伝送子機ＴＳ２〜ＴＳ１６に伝送された各種エラーデータは伝送子機ＴＳ２〜ＴＳ１６から伝送親機ＴＭに伝送される。
【００３５】
図示を省略したが、共用タンクｔｃの灯油残量に関しても監視が行われ、残量が少なくなったときにはそのデータがエラーデータとして同様に伝送される。
【００３６】
図９は伝送親機ＴＭによるデータ処理の流れを示す。
【００３７】
伝送親機ＴＭは伝送子機ＴＳ１〜ＴＳ１６から伝送される補給データ及びエラーデータ等を種類に応じて層別し、該データをテキスト形式に変換する（図９のステップＳ２１，Ｓ２２）。
【００３８】
伝送親機ＴＭが管理センター所有のコンピュータＭＳと結ばれている場合には変換後の各種データを送受信機ＴＭ及び専用回線を通じて管理センター所有のコンピュータＭＳに伝送し、一方、伝送親機ＴＭが灯油販売業者所有のコンピュータＤＬと結ばれている場合には変換後の各種データを送受信機ＭＤ及び公衆回線を通じて灯油販売業者所有のコンピュータＤＬに伝送する（図９のステップＳ２３）。
【００３９】
伝送データには「各住宅の灯油使用量を表す補給データ」と「システム構成機器の異常を表すエラーデータ」が含まれるが、「各住宅の灯油使用量を表す補給データ」は主に料金徴収に利用されるものであるため発生都度伝送せずに、定期的に管理センター所有のコンピュータＭＳまたは灯油販売業者所有のコンピュータＤＬに伝送するようにするか、或いは、必要に応じて各コンピュータＭＳ，ＤＬから伝送親機ＴＭにアクセスして当該データを読み込むようにしてもよい。
【００４０】
図１０は管理センター又は灯油販売業者によるデータ処理の流れを示す。
【００４１】
伝送親機ＴＭから管理センター所有のコンピュータＭＳまたは灯油販売業者所有のコンピュータＤＬに伝送されたデータはそのディスプレイに文字（数字及び記号を含む）で表示されるため、管理センターの従事者または灯油販売業者はディスプレイ表示によって各種データを把握し、データ内容に基づいて個別の作業を行う（図１０のステップＳ３１）。
【００４２】
各住宅の灯油使用量を表す補給データは料金徴収に使用され、灯油使用量に準じた料金徴収が管理センターまたは灯油販売業者から各住宅に対して行われる。
【００４３】
システム構成機器の異常を表すエラーデータは緊急措置の要否判断に使用され、データ伝送先が管理センター所有のコンピュータＭＳで緊急措置要の場合には管理センター自らの判断で同センター所属の修理者を修理に出向かせるか、修理業者に修理要請をコンピュータ通信、或いは、ファクシミリや電話等による通信によって行う。データ伝送先が灯油販売業者所有のコンピュータＤＬで緊急措置要の場合には灯油販売業者自らの判断で同業者所属の修理者を修理に出向かせるか、修理業者に修理要請をコンピュータ通信、或いは、ファクシミリや電話等による通信によって行う。このエラーデータの中に共用タンクｔｃの灯油残量が少ないことを示すデータが含まれている場合には、管理センターを経由して或いは直接に通知を受けた灯油販売業者が現場にて共用タンクｔｃの灯油残量を確認した上で補給を行う。
【００４４】
エラーデータが伝送された場合にはシステム構成機器で今現在行われているエラー報知を停止させるための遠隔操作データやシステム構成機器の一部を停止させるための遠隔操作データを管理センター所有のコンピュータＭＳまたは灯油販売業者所有のコンピュータＤＬからテキスト形式で伝送親機ＴＭに伝送する（図１０のステップＳ３２，Ｓ３３）。
【００４５】
図１１は伝送親機ＴＭによる遠隔操作データ伝送の流れを示す。
【００４６】
伝送親機ＴＭは管理センター所有のコンピュータＭＳまたは灯油販売業者所有のコンピュータＤＬから遠隔操作データを受け取ると、該データをテキスト形式から伝送親機ＴＭで判別可能なデータ形式に変換し、変換後のデータに基づいてその内容を判別する（図１１のステップＳ４１〜Ｓ４３）。
【００４７】
遠隔操作データにエラー報知を停止させるためのデータが含まれている場合にはエラー報知を行っている各機器にエラー報知を停止させるための信号を送出し、また、遠隔操作データにシステム構成機器の一部を停止させるためのデータが含まれている場合には該当機器にこれを停止させるための信号を送出する（図１１のステップＳ４４）。
【００４８】
このように、前述の灯油供給システムによれば、各給油制御機Ｃ１〜Ｃ１６との間でデータ送受を行う１６台の伝送子機ＴＳ１〜ＴＳ１６を備えると共に１６台の伝送子機ＴＳ１〜ＴＳ１６との間並びに外部コンピュータ（管理センター所有のコンピュータＭＳまたは灯油販売業者所有のコンピュータＤＬ）との間のデータ送受を行う１台の伝送親機ＴＭを備えているので、住宅数が１６０の集合住宅に同システムを適用した場合でも１つの通信回線で伝送親機ＴＭと外部コンピュータとの間のデータ送受を行うことができる。つまり、住宅数が多い集合住宅等に同システムを適用する場合には通信回線の増設が不要であり、該増設に伴う導入時コスト及びランニングコストを排除できると共に外部コンピュータとのデータ送受を高信頼性下で的確に行うことができる。
【００４９】
また、１台の伝送親機ＴＭと１６台の伝送子機ＴＳ１〜ＴＳ１６との接続にＲＳ−４８５等のマルチドロップ接続を用いているので、１台の伝送親機ＴＭと１６台の伝送子機ＴＳ１〜ＴＳ１６との間の信号線の配線工事が簡単であり、伝送子機の増設にも容易に追従できる。
【００５０】
さらに、伝送親機ＴＭと外部コンピュータ（管理センター所有のコンピュータＭＳまたは灯油販売業者所有のコンピュータＤＬ）との間で送受されるデータはテキスト形式のデータであるので、伝送親機ＴＭから外部コンピュータに伝送されたデータ内容を適当なテキストエディタによって文字情報として簡単且つ正確に認識することができる。
【００５１】
さらに、外部コンピュータ（管理センター所有のコンピュータＭＳまたは灯油販売業者所有のコンピュータＤＬ）から伝送親機ＴＭに遠隔操作データをテキスト形式で伝送できるので、伝送親機ＴＭは伝送された遠隔操作データを変換後に判別して該当するシステム構成機器に遠隔操作データに準じた処理を的確且つ迅速に行うことができる。
【００５２】
尚、前述の実施形態では、中継機Ｒ１〜Ｒ１６，給油制御機Ｃ１〜Ｃ１６及び伝送子機ＴＳ１〜ＴＳ１６を各フロアに設置したものをしたが、中継機Ｒ１〜Ｒ１６，給油制御機Ｃ１〜Ｃ１６及び伝送子機ＴＳ１〜ＴＳ１６は集合住宅の１階や地下等に伝送親機ＴＭと一緒に設置してもよいし、中継機Ｒ１〜Ｒ１６のみを幾つかのフロアに分けて設置し、且つ、給油制御機Ｃ１〜Ｃ１６及び伝送子機ＴＳ１〜ＴＳ１６を集合住宅の１階や地下等に伝送親機ＴＭと一緒に設置してもよい。つまり、中継機Ｒ１〜Ｒ１６，給油制御機Ｃ１〜Ｃ１６及び伝送子機ＴＳ１〜ＴＳ１６の設置形態は伝送親機ＴＭを含めて任意に変更して構わない。
【００５３】
また、前述の実施形態では、本発明に係るシステムを１６階建てで総住宅数が１６０で１フロア当たりの住宅数が１０の集合住宅に適用した例を示したが、配管及び配線を変更することにより階数，総住宅数，１フロア当たりの住宅数及び１フロア当たりの利用住宅数が異なる集合住宅に本発明を適用しても前記同様の作用効果が得られることは言うまでもなく、また、多数の戸建住宅の集合体に対して本発明を適用しても前記同様の作用効果が得られる。
【図面の簡単な説明】
【００５４】
【図１】本発明を集合住宅に適用した実施形態を示すシステム構成図である。
【図２】図１に示した油量検知機の構成を示すブロック図である。
【図３】図１に示した中継機の構成を示すブロック図である。
【図４】図１に示した給油制御機の構成を示すブロック図である。
【図５】図１に示した伝送子機の構成を示すブロック図である。
【図６】図１に示した伝送親機の構成を示すブロック図である。
【図７】給油制御機による灯油補給の流れを示すフローチャートである。
【図８】給油制御機による異常検知の流れを示すフローチャートである。
【図９】伝送親機によるデータ処理の流れを示すフローチャートである。
【図１０】管理センター又は灯油販売業者によるデータ処理の流れを示すフローチャートである。
【図１１】伝送親機による遠隔操作データ伝送の流れを示すフローチャートである。
【符号の説明】
【００５５】
ｔ１〜ｔ１６０…専用タンク、Ｌ１〜Ｌ１６０…油量検知機、ｔｃ…共用タンク、Ｒ１〜Ｒ１６、Ｃ１〜Ｃ１６…給油制御機、ＴＳ１〜ＴＳ１６…伝送子機、ＴＭ…伝送親機、ＥＴ…送受信機、ＭＳ…管理センターのコンピュータ、ＤＬ…灯油販売業者のコンピュータ、ＭＤ…送受信機、ＰＣＮ…公衆回線網。
【図１】
2006298399.tif 000003
【図２】
2006298399.tif 000004
【図３】
2006298399.tif 000005
【図４】
2006298399.tif 000006
【図５】
2006298399.tif 000007
【図６】
2006298399.tif 000008
【図７】
2006298399.tif 000009
【図８】
2006298399.tif 000010
【図９】
2006298399.tif 000011
【図１０】
2006298399.tif 000012
【図１１】
2006298399.tif 000013